(57)【要約】【課題】取付構造により照明装置を安定に支持しつつ、該取付構造に取り付けられた前記照明装置を構成する光源部及びレンズの光軸を自由に設定する。【解決手段】照明装置１０において、筐体５０を構成する光源収容部５４には、照明光４０を出力する光源部５２が収容されると共に、照明光４０を透過するレンズ３８が上面６８に設けられている。取付構造１２は、照明装置１０が挿入される筒状本体部１００を有する。筒状本体部１００のうち、レンズ３８と対向する上壁部１０２には、照明装置１０が筒状本体部１００に挿入された際に、レンズ３８を外部に露出させる開口部１１０が形成されている。【選択図】図８
2015002026.tif 000002
【特許請求の範囲】
【請求項１】
照明装置を取付対象に取り付けるための取付構造において、
前記照明装置は、照明光を出力する光源部と、前記光源部を収容する筐体と、前記筐体の一側面に設けられ且つ前記照明光を透過するレンズとを有し、
前記取付構造は、前記照明装置が挿入される筒状本体部を有し、
前記筒状本体部のうち、前記レンズと対向する側面には、前記照明装置が前記筒状本体部に挿入された際に、前記レンズを外部に露出させる開口部が形成されている
ことを特徴とする照明装置の取付構造。
【請求項２】
請求項１記載の取付構造において、
前記筐体は、前記光源部を収容し且つ前記レンズが設けられ、前記筒状本体部に挿入される光源収容部を備え、
前記開口部は、前記筒状本体部に前記光源収容部が挿入された際に、前記光源収容部における前記レンズが設けられた一側面を露出させるように形成され、
前記筒状本体部には、前記レンズから離間した前記光源収容部の角部に係合する係合部が設けられている
ことを特徴とする照明装置の取付構造。
【請求項３】
請求項２記載の取付構造において、
前記筒状本体部には、前記光源収容部の４つの側面のうち、前記レンズが設けられていない対向する２つの側面に面接触する２つの側壁部が設けられ、
前記係合部は、前記２つの側壁部の先端部から前記２つの側面に沿って延在し、前記光源収容部の角部に係合する２つの爪部材であり、
前記２つの側壁部の先端部から前記２つの側面に沿って、前記２つの爪部材と略平行に薄肉部がさらに延在し、
前記２つの薄肉部の間隔は、前記２つの側壁部の間隔よりも広い
ことを特徴とする照明装置の取付構造。
【請求項４】
請求項３記載の取付構造において、
前記２つの薄肉部は、前記２つの爪部材よりも前記照明装置側に突出している
ことを特徴とする照明装置の取付構造。
【請求項５】
請求項３又は４記載の取付構造において、
前記２つの爪部材における前記２つの側壁部寄りの箇所には、前記光源収容部の前記２つの側面を押さえる凸状の側面押さえ部が形成されている
ことを特徴とする照明装置の取付構造。
【請求項６】
請求項３〜５のいずれか１項に記載の取付構造において、
前記光源収容部の前記２つの側面には、凸部が形成され、
前記２つの側壁部には、前記凸部に嵌合する嵌合溝が前記筒状本体部に対する前記光源収容部の挿入方向に沿って形成され、
前記筒状本体部に前記光源収容部が挿入された際に、前記凸部が前記嵌合溝に嵌合した状態で、前記光源収容部の前記２つの側面が前記２つの側壁部に面接触する
ことを特徴とする照明装置の取付構造。
【請求項７】
請求項６記載の取付構造において、
前記凸部は、テーパ状に形成され、
前記嵌合溝は、テーパ状の前記凸部に対応して、断面テーパ状に形成されている
ことを特徴とする照明装置の取付構造。
【請求項８】
請求項２〜７のいずれか１項に記載の取付構造において、
前記筐体は、前記光源収容部と、前記筒状本体部から離間するように前記光源収容部に連なり且つコネクタに嵌合するコネクタ嵌合部とから構成され、
前記筒状本体部には、前記筐体における前記レンズが設けられた一側面に対向する他の側面を支持する底壁部がさらに設けられ、
前記底壁部は、前記コネクタ嵌合部まで延在する
ことを特徴とする照明装置の取付構造。
【請求項９】
請求項１〜８のいずれか１項に記載の取付構造において、
前記開口部は、前記筒状本体部に対する前記照明装置の挿入方向に沿って連続して開口している
ことを特徴とする照明装置の取付構造。
【請求項１０】
請求項１〜９のいずれか１項に記載の取付構造において、
前記筒状本体部には、該筒状本体部に挿入された前記照明装置の先端部を押さえる先端押さえ部が設けられている
ことを特徴とする照明装置の取付構造。
【請求項１１】
請求項１〜１０のいずれか１項に記載の取付構造において、
前記取付構造は、前記取付対象と一体的に形成されている
ことを特徴とする照明装置の取付構造。
【請求項１２】
請求項１〜１１のいずれか１項に記載の取付構造において、
前記取付構造は、前記取付対象である車両のドアライニングに設けられ、
前記照明装置は、前記取付構造に取り付けられた状態で、前記ドアライニングに設けられたドリンクホルダに収容される照明対象物に向けて前記照明光を出力する
ことを特徴とする照明装置の取付構造。
【発明の詳細な説明】
【技術分野】
【０００１】
本発明は、照明装置の取付構造に関し、より詳細には、取付対象である車両の内装部材への照明装置の取り付けに好適な取付構造に関する。
【背景技術】
【０００２】
例えば、特許文献１には、車両のドアライニングにネジを用いて照明装置の一端部を固定すると共に、該ドアライニングに設けられた係合片を用いて照明装置の他端部を支持することで、ドアライニングに照明装置を取り付けることが開示されている。
【先行技術文献】
【特許文献】
【０００３】
【特許文献１】特許第４９３３２４０号公報
【発明の概要】
【発明が解決しようとする課題】
【０００４】
しかしながら、このような取付構造を用いて車両の内装部材であるドアライニングに照明装置を取り付ける際、照明装置の取付箇所及び当該照明装置の形状によっては、取付構造に対して照明装置を安定に取り付けることができない場合がある。この結果、照明装置から照明対象物に対して照明光を安定且つ確実に照射することが難しくなる場合がある。例えば、ネジの取付箇所や係合片の大きさに対して、照明装置のサイズが合わない場合には、取付構造の形状に合わせて照明装置を大型化させる必要がある。
【０００５】
このような問題を解消するためには、タッピンネジ、ビス等のネジ部材や、ブラケットのような別部品を用いることなく、照明装置の形状に対応する取付構造とドアライニングとを一体的に形成して、当該照明装置を安定した状態で支持できることが望ましい。この場合、金型スライド成形技術を用いずに、ドアライニングと取付構造とを一体的に形成することが望まれる。
【０００６】
また、このような取付構造によって照明装置を支持する場合、照明装置を構成する光源部の光軸、及び、該光源部から出力された照明光を透過するレンズの光軸を自由に調整できることも望ましい。
【０００７】
本発明は、このような課題を考慮してなされたものであり、照明装置を安定に支持しつつ、取り付けられた前記照明装置を構成する光源部及びレンズの光軸を自由に設定することができる取付構造を提供することを目的とする。
【課題を解決するための手段】
【０００８】
本発明は、照明装置を取付対象に取り付けるための取付構造に関するものであり、第１の特徴として、前記照明装置は、照明光を出力する光源部と、前記光源部を収容する筐体と、前記筐体の一側面に設けられ且つ前記照明光を透過するレンズとを有し、前記取付構造は、前記照明装置が挿入される筒状本体部を有し、前記筒状本体部のうち、前記レンズと対向する側面には、前記照明装置が前記筒状本体部に挿入された際に、前記レンズを外部に露出させる開口部が形成されていることを特徴とする。
【０００９】
第２の特徴として、前記筐体は、前記光源部を収容し且つ前記レンズが設けられ、前記筒状本体部に挿入される光源収容部を備え、前記開口部は、前記筒状本体部に前記光源収容部が挿入された際に、前記光源収容部における前記レンズが設けられた一側面を露出させるように形成され、前記筒状本体部には、前記レンズから離間した前記光源収容部の角部に係合する係合部が設けられていることが好ましい。
【００１０】
また、第３の特徴として、前記筒状本体部には、前記光源収容部の４つの側面のうち、前記レンズが設けられていない対向する２つの側面に面接触する２つの側壁部が設けられ、前記係合部は、前記２つの側壁部の先端部から前記２つの側面に沿って延在し、前記光源収容部の角部に係合する２つの爪部材であり、前記２つの側壁部の先端部から前記２つの側面に沿って、前記２つの爪部材と略平行に薄肉部がさらに延在し、前記２つの薄肉部の間隔は、前記２つの側壁部の間隔よりも広いことが好ましい。
【００１１】
この場合、第４の特徴として、前記２つの薄肉部は、前記２つの爪部材よりも前記照明装置側に突出していることが好ましい。
【００１２】
また、第５の特徴として、前記２つの爪部材における前記２つの側壁部寄りの箇所には、前記光源収容部の前記２つの側面を押さえる凸状の側面押さえ部が形成されていることが好ましい。
【００１３】
さらに、第６の特徴として、前記光源収容部の前記２つの側面には、凸部が形成され、前記２つの側壁部には、前記凸部に嵌合する嵌合溝が前記筒状本体部に対する前記光源収容部の挿入方向に沿って形成され、前記筒状本体部に前記光源収容部が挿入された際に、前記凸部が前記嵌合溝に嵌合した状態で、前記光源収容部の前記２つの側面が前記２つの側壁部に面接触することが好ましい。
【００１４】
さらにまた、第７の特徴として、前記凸部は、テーパ状に形成され、前記嵌合溝は、テーパ状の前記凸部に対応して、断面テーパ状に形成されていることが好ましい。
【００１５】
また、第８の特徴として、前記筐体は、前記光源収容部と、前記筒状本体部から離間するように前記光源収容部に連なり且つコネクタに嵌合するコネクタ嵌合部とから構成され、前記筒状本体部には、前記筐体における前記レンズが設けられた一側面に対向する他の側面を支持する底壁部がさらに設けられ、前記底壁部は、前記コネクタ嵌合部まで延在することが好ましい。
【００１６】
さらに、第９の特徴として、前記開口部は、前記筒状本体部に対する前記照明装置の挿入方向に沿って連続して開口していることが好ましい。
【００１７】
また、第１０の特徴として、前記筒状本体部には、該筒状本体部に挿入された前記照明装置の先端部を押さえる先端押さえ部が設けられていることが好ましい。
【００１８】
なお、第１１の特徴として、前記取付構造は、前記取付対象と一体的に形成されていることが好ましい。
【００１９】
また、第１２の特徴として、前記取付構造は、前記取付対象である車両のドアライニングに設けられ、前記照明装置は、前記取付構造に取り付けられた状態で、前記ドアライニングに設けられたドリンクホルダに収容される照明対象物に向けて前記照明光を出力することが好ましい。
【発明の効果】
【００２０】
本発明の第１の特徴によれば、筐体のレンズと対向する筒状本体部の側面には、照明装置が筒状本体部に挿入されたときに、前記レンズを外部に露出させる開口部が形成されている。そのため、前記照明装置を取付構造に取り付けた場合、前記レンズの周辺には、前記取付構造の構成要素が配置されることがない。これにより、前記照明装置を安定に支持しつつ、前記光源部及び前記レンズの光軸を自由に設定することが可能となる。
【００２１】
本発明の第２の特徴によれば、レンズ及び光源部から離れた光源収容部の角部で係合部により前記光源収容部を固定支持する。これにより、前記レンズの周辺に取付構造の構成要素を配置することなく、前記光源収容部を安定に支持することができる。
【００２２】
本発明の第３の特徴によれば、２つの薄肉部の間隔を２つの側壁部の間隔よりも広く設定している。これにより、光源収容部を筒状本体部に挿入する際、前記筒状本体部に対して任意の方向から前記光源収容部を容易に挿入することが可能となる。この結果、取付構造に対する照明装置の挿入性が向上し、前記取付構造に対する前記照明装置の組み付け性（取付性）を向上させることができる。
【００２３】
また、前記２つの側壁部の先端部から前記光源収容部の２つの側面に沿って２つの爪部材が延在し、前記光源収容部の角部に係合する。これにより、前記光源収容部は、前記２つの爪部材で挟み込まれると共に、前記取付構造に対する前記照明装置の挿入方向に沿って押し付けられる。この結果、前記光源収容部を一層安定に支持することができる。
【００２４】
さらに、前記２つの爪部材を前記光源収容部の角部に係合させることにより、前記光源収容部を含めた前記照明装置が固定支持される。これにより、前記取付構造の形状に応じて前記照明装置の形状を変更することが不要となり、該照明装置の大型化を回避することが可能となる。
【００２５】
本発明の第４の特徴によれば、２つの薄肉部が２つの爪部材よりも照明装置側に突出し、幅広の前記２つの薄肉部の箇所に前記２つの爪部材が設けられていない。そのため、筒状本体部に対して光源収容部を挿入しやすくなる。また、前記光源収容部の角部が前記２つの爪部材の位置にまで移動すると、前記２つの爪部材が前記光源収容部の角部に係合するので、前記光源収容部を確実に支持することが可能となる。
【００２６】
本発明の第５の特徴によれば、凸状の２つの側面押さえ部は、２つの爪部材における２つの側壁部寄りの箇所で、光源収容部の２つの側面を押さえる。しかも、前記側面押さえ部は、前記光源収容部と前記爪部材とのクリアランスを埋めるように形成される。これにより、前記２つの側面押さえ部は、前記２つの爪部材と協働して、前記光源収容部を押さえることになるので、取付構造に対する照明装置のガタツキを防止しつつ、前記光源収容部をより安定且つ確実に支持することができる。また、前記爪部材に前記側面押さえ部を設けることにより、該爪部材の剛性も向上させることができる。
【００２７】
本発明の第６の特徴によれば、取付構造に照明装置を挿入した際、光源収容部の２つの側面の凸部が２つの側壁部の嵌合溝に嵌合すると共に、前記２つの側面が前記２つの側壁部に面接触する。これにより、前記照明装置の挿入方向に直交する平面において、前記２つの側壁部及び前記２つの嵌合溝は、前記照明装置の位置を規制することができる。この結果、前記照明装置をより安定に支持することができる。
【００２８】
本発明の第７の特徴によれば、凸部がテーパ状に形成されると共に、嵌合溝も断面テーパ状に形成されている。これにより、照明装置の挿入方向に直交する平面において、前記照明装置の位置を容易に規制することが可能となり、当該照明装置を確実且つ安定に支持することができる。
【００２９】
本発明の第８の特徴によれば、底壁部をコネクタ嵌合部まで延在させることにより、取付構造に対する照明装置の組み付け性をさらに向上させると共に、照明装置を一層安定に支持することができる。
【００３０】
本発明の第９の特徴によれば、筒状本体部に対する照明装置の挿入方向に沿って開口部を連続して開口させることにより、レンズを傷つけることなく、前記筒状本体部に対して光源収容部を挿入することができる。
【００３１】
本発明の第１０の特徴によれば、先端押さえ部は、筒状本体部に挿入された照明装置の先端部を押さえるストッパとして機能する。これにより、前記照明装置の挿入方向に沿った所望の位置（取付構造の構成要素とレンズとが接触しない位置）で当該照明装置を確実に支持することが可能となる。
【００３２】
本発明の第１１の特徴によれば、タッピンネジ、ビス等のネジ部材や、ブラケットのような別部品を用いることなく、且つ、金型スライド成形技術を用いることなく、照明装置の形状に応じた取付構造と取付対象とを一体的に形成することが可能となる。この結果、前記照明装置の大型化を回避することができる。
【００３３】
本発明の第１２の特徴によれば、ドアライニングに設けられた取付構造に照明装置を固定することにより、前記照明装置から前記ドアライニングに設けられたドリンクホルダに収容される照明対象物に向けて照明光を確実に照射することができる。
【図面の簡単な説明】
【００３４】
【図１】本実施形態に係る照明装置の取付構造が適用されるドアライニングの斜視図である。
【図２】ドアライニングにおける照明装置及び取付構造の配置箇所を拡大して図示した斜視図である。
【図３】ドリンクホルダに収容された飲料容器に対する照明装置及び取付構造の配置箇所を拡大して図示した斜視図である。
【図４】取付構造に照明装置を取り付けた状態を図示した拡大斜視図である。
【図５】ドリンクホルダ及び取付構造を破断して図示した拡大斜視図である。
【図６】取付構造から照明装置を取り外した状態を図示した拡大斜視図である。
【図７】取付構造から照明装置を取り外した状態を図示した拡大斜視図である。
【図８】取付構造への照明装置の挿入を図示した斜視図である。
【図９】取付構造に照明装置を挿入した状態を示す平面図である。
【図１０】図９のＸ−Ｘ線に沿った断面図である。
【図１１】取付構造に照明装置を挿入した状態を示す側面図である。
【図１２】係合爪を図示した拡大平面図である。
【図１３】取付構造に対する照明装置の取付軌跡を示す説明図である。
【図１４】図２に示す位置とは異なる箇所に取付構造及び照明装置を配置した場合を図示した斜視図である。
【図１５】取付構造及びドリンクホルダを成形する金型を模式的に図示した説明図である。
【発明を実施するための形態】
【００３５】
以下、本発明に係る照明装置の取付構造について、好適な実施形態を挙げ、添付の図面を参照しながら詳細に説明する。
【００３６】
［本実施形態の概略構成］
本実施形態に係る照明装置１０の取付構造１２は、例えば、図１〜図７に示すように、車両のドアパネルの車室内側に取り付けられるドアライニング１４に適用される。但し、取付構造１２は、この一実施形態に限定されるものではなく、ドアライニング１４以外の車両の内装部材や、該内装部材以外の物体を取付対象として、該取付対象に照明装置１０を取り付けることも可能である。以下の説明では、照明装置１０が取付構造１２を介して車両のリアドアのドアライニング１４に取り付けられる場合について説明する。
【００３７】
なお、図１、図２、図４、図６及び図７は、車室外側（矢印Ｂ２方向）から車室内側（矢印Ｂ１方向）に向かってドアライニング１４を見たときの斜視図である。また、図３は、車室内側からドアライニング１４を見たときの斜視図である。
【００３８】
プラスチック等からなるドアライニング１４は、アッパー部１６と、該アッパー部１６に組み付けられたロア部１８とから構成される。すなわち、アッパー部１６の下端部２０には、前後方向（矢印Ａ方向）に沿って複数の孔部２２が形成されている。従って、アッパー部１６の下端部２０と、ロア部１８の上端部２４とを重ね合わせた状態で、ボルト等の係合部材２６を孔部２２を介して係合させることにより、アッパー部１６とロア部１８とが連結されてドアライニング１４が構成される。
【００３９】
アッパー部１６のうち、車両前方（矢印Ａ１方向）の箇所は、他の箇所よりも下方（矢印Ｃ２方向）に延在している。そして、当該車両前方の箇所には、ペットボトル等の光透過性を有する飲料容器３０（照射対象物）を収容可能なドリンクホルダ３２が形成されている。ドリンクホルダ３２は、アッパー部１６の車両前方の箇所を、矢印Ｂ２方向に凹ませ、且つ、飲料容器３０を収容可能なポケット状に形成されたものである。
【００４０】
ここで、ドリンクホルダ３２において、矢印Ｃ２方向に延在する下側部分のうち、車両後方（矢印Ａ２方向）の側壁３４には、孔部３６が形成されている。そして、アッパー部１６の下端部２０のうち、側壁３４近傍の箇所には、取付構造１２が当該下端部２０と一体的に形成されている。すなわち、取付構造１２は、アッパー部１６と同じ材料からなり、孔部３６と対向するように、下端部２０から矢印Ｂ２方向に延在して形成されている。従って、取付構造１２に照明装置１０を取り付けた場合、照明装置１０は、孔部３６と対向し且つ矢印Ｂ２方向に延在するように配置される。
【００４１】
この場合、照明装置１０は、レンズ３８を介して外部に照明光４０を照射可能である。図２〜図５に示すように、照明装置１０は、レンズ３８と孔部３６とが対向するように取付構造１２に取り付けられている。従って、取付構造１２に取り付けられた照明装置１０からレンズ３８を介して照明光４０が出力された場合、照明光４０は、孔部３６を通過して飲料容器３０に照射される。飲料容器３０は、光透過性を有する容器であるため、飲料容器３０内の飲料物４２に照明光４０が照射された場合、当該照明光４０は、反射光として飲料容器３０から車室内に反射される。これにより、車室内の乗員は、前記反射光を視認することにより、飲料容器３０内に飲料物４２が存在することを認識することができる。
【００４２】
［本実施形態の具体的な構成］
ここで、本実施形態に係る取付構造１２及び照明装置１０の具体的な構成について、図８〜図１３を参照しながら説明する。なお、この説明では、必要に応じて、図１〜図７も参照しながら説明する。また、図８〜図１３に示す矢印Ｄ方向、矢印Ｅ方向及び矢印Ｆ方向は、取付構造１２と照明装置１０との位置関係を明確にするために図示した３軸方向であり、ドアライニング１４に対する取付構造１２及び照明装置１０の配置箇所によっては、図１〜図７に示す矢印Ａ方向、矢印Ｂ方向及び矢印Ｃ方向の３軸方向とは対応しない場合がある。
【００４３】
照明装置１０及び取付構造１２は、それぞれ、矢印Ｄ方向に沿った中心部に対して左右対称の構造を有する。
【００４４】
ここで、先ず、照明装置１０について説明する。
【００４５】
照明装置１０は、プラスチック製の筐体５０を有する。筐体５０は、ＬＥＤ（Ｌｉｇｈｔ  Ｅｍｉｔｔｉｎｇ  Ｄｉｏｄｅ）等の光源部５２を収容し且つレンズ３８が設けられた光源収容部５４と、該光源収容部５４に連なり且つコネクタ５６に嵌合するコネクタ嵌合部５８とから構成される。この場合、図８及び図９に示すように、光源収容部５４を矢印Ｅ１方向に向けると共に、コネクタ嵌合部５８を矢印Ｅ２方向に向けた状態で、取付構造１２に対して照明装置１０を矢印Ｅ１方向に挿入することにより、照明装置１０を取付構造１２に取り付けることができる。
【００４６】
筐体５０の上面６０（矢印Ｆ１方向の側面）には、プラスチック製で略Ｔ字状のカバー部材６２が装着されている。レンズ３８は、カバー部材６２における光源収容部５４側の箇所に形成されている。光源部５２は、光源収容部５４内におけるレンズ３８直下の箇所に配置されている。すなわち、光源部５２及びレンズ３８は、光軸を略一致させた状態で配置されている。
【００４７】
光源部５２は、図示しない車両のバッテリからコネクタ５６を介した電力供給に起因して照明光４０を発光する。レンズ３８は、光源部５２から発光された照明光４０を集光し、外部に向けて発散する両凸レンズである。なお、レンズ３８の種類及び形状は、適宜設定可能である。
【００４８】
光源収容部５４は、光源部５２を収容し且つレンズ３８が設けられる程度の大きさを有する矩形状のブロックである。一方、コネクタ嵌合部５８は、コネクタ５６が嵌合する孔部６４を有する矩形状のブロックである。
【００４９】
この場合、光源収容部５４の矢印Ｆ方向に沿った厚みは、コネクタ嵌合部５８の厚みよりも薄い。また、光源収容部５４の矢印Ｄ方向に沿った幅は、コネクタ嵌合部５８の幅よりも僅かに広い。
【００５０】
図４、図５及び図８に示すように、筐体５０の上面６０（一側面）を構成する光源収容部５４の上面６８及びコネクタ嵌合部５８の上面７０は、略面一である。そのため、筐体５０の底面７２を構成する光源収容部５４の底面７４及びコネクタ嵌合部５８の底面７６は、矢印Ｆ方向に沿って、互いに異なる高さに設定されている。
【００５１】
異なる厚みの光源収容部５４及びコネクタ嵌合部５８によって、筐体５０には、光源収容部５４の底面７４と、コネクタ嵌合部５８の矢印Ｅ１方向の側面と、コネクタ嵌合部５８の底面７６とによって、段差部７８が構成される。すなわち、段差部７８は、筐体５０の底面７２側において、光源収容部５４とコネクタ嵌合部５８との連結部分に形成される段差である。
【００５２】
また、光源収容部５４のコネクタ嵌合部５８側（矢印Ｅ２方向）の角部８０、８２のうち、矢印Ｄ２方向の角部８０は、コネクタ嵌合部５８から矢印Ｄ２方向に膨出すると共に、矢印Ｄ１方向の角部８２は、コネクタ嵌合部５８から矢印Ｄ１方向に膨出している。
【００５３】
さらに、光源収容部５４の角部８０に連なる矢印Ｄ２方向の側面８４には、矢印Ｄ２方向に凸状に突出する爪部８６（凸部）が形成されている。一方、光源収容部５４の角部８２に連なる矢印Ｄ１方向の側面８８には、矢印Ｄ１方向に凸状に突出する爪部９０（凸部）が形成されている。そして、爪部８６、９０は、矢印Ｆ方向に沿った略同一の高さ位置に形成され、該各爪部８６、９０の上部は、テーパ状に形成されている。
【００５４】
次に、取付構造１２について説明する。
【００５５】
取付構造１２は、図２、図４〜図９、図１１及び図１３に示すように、アッパー部１６の下端部２０における孔部３６と対向する位置において、該下端部２０から矢印Ｂ２方向及び矢印Ｅ２方向に延在する筒状本体部１００を有する。筒状本体部１００は、矢印Ｄ方向に沿った中心部に対して左右対称の形状を有すると共に、照明装置１０を構成する筐体５０の形状に合わせて、角型の筒状に形成されている。
【００５６】
すなわち、筒状本体部１００は、矢印Ｆ１方向の上壁部１０２（側面）と、矢印Ｄ２方向の側壁部１０４と、矢印Ｄ１方向の側壁部１０６と、矢印Ｆ２方向の底壁部１０８（連結部）とを有する。上壁部１０２と底壁部１０８との間を２つの側壁部１０４、１０６で連結することにより、矢印Ｅ１方向に挿入される照明装置１０の筐体５０を受容可能な空間が形成される。
【００５７】
ここで、上壁部１０２の矢印Ｅ２方向の箇所は、大きく切り欠かれて、矢印Ｅ方向に沿って連続して開口する開口部１１０として形成されている。そのため、上壁部１０２は、２つの側壁部１０４、１０６及び底壁部１０８と比較して、矢印Ｂ１方向及び矢印Ｅ１方向に大きく後退した形状となっている。
【００５８】
上壁部１０２の矢印Ｅ２方向側には、レンズ３８の形状に合わせて矢印Ｅ１方向に円弧状に凹んだ凹部１１２が形成されている。また、上壁部１０２の底面（筒状本体部１００の内方）には、２つの押さえ部１１４（先端押さえ部）が矢印Ｅ方向に延在している。
【００５９】
そのため、矢印Ｅ１方向に沿って筐体５０を筒状本体部１００に挿入した場合、レンズ３８が外部に露出すると共に、当該レンズ３８を取付構造１２の構成要素に接触させることなく、照明装置１０を取付構造１２に取り付けることができる。また、２つの押さえ部１１４が光源収容部５４の矢印Ｅ１方向の側面１１６（先端部）に当接することで、筒状本体部１００における矢印Ｅ方向に沿った所定位置に照明装置１０を位置決めすることができる。すなわち、２つの押さえ部１１４は、筒状本体部１００に挿入された光源収容部５４に対するストッパとして機能する。
【００６０】
矢印Ｄ方向に沿って対向する２つの側壁部１０４、１０６は、下記のように、略同一の構成を有する。
【００６１】
先ず、側壁部１０４の矢印Ｄ１方向の側面（側壁部１０６に対向する側面であって筒状本体部１００の内方の側面）には、光源収容部５４の爪部８６と嵌合可能な嵌合溝１１８が矢印Ｅ方向に沿って形成されている。そのため、図１０に示すように、嵌合溝１１８は、爪部８６の形状に合わせて、断面テーパ状に形成されている。
【００６２】
また、側壁部１０４の矢印Ｅ２方向の先端部における嵌合溝１１８側の箇所には、矢印Ｅ２方向に沿って薄肉部１２０が延出している。薄肉部１２０の矢印Ｄ方向に沿った厚みは、側壁部１０４の矢印Ｄ方向に沿った厚みよりも薄く設定されている。
【００６３】
さらに、側壁部１０４の矢印Ｅ２方向の先端部における薄肉部１２０の下方には、矢印Ｅ２方向に沿って爪部１２２（係合部、爪部材）が延出している。この場合、図９、図１１及び図１３に示すように、薄肉部１２０は、爪部１２２よりも矢印Ｅ２方向に延在している。そして、筐体５０が矢印Ｅ１方向に沿って筒状本体部１００に挿入された場合、爪部１２２は、光源収容部５４の矢印Ｄ２方向の角部８０に係合して、照明装置１０の長手方向である矢印Ｅ１方向に光源収容部５４を押さえる。
【００６４】
また、爪部１２２の側壁部１０４寄りの箇所には、光源収容部５４の角部８０に該爪部１２２が係合した際に、光源収容部５４の側面８４における角部８０寄りの箇所を矢印Ｄ１方向に押さえる凸状の押さえ部１２４（側面押さえ部）が形成されている。
【００６５】
一方、側壁部１０６の矢印Ｄ２方向側の側面（側壁部１０４に対向する側面であって筒状本体部１００の内方の側面）には、光源収容部５４の爪部９０と嵌合可能な嵌合溝１２６が矢印Ｅ方向に沿って形成されている。従って、嵌合溝１２６も、爪部９０の形状に合わせて、断面テーパ状に形成されている。
【００６６】
また、側壁部１０６の矢印Ｅ２方向の先端部における嵌合溝１２６側の箇所には、矢印Ｅ２方向に沿って薄肉部１２８が延出している。薄肉部１２８の矢印Ｄ方向に沿った厚みも、側壁部１０６の矢印Ｄ方向に沿った厚みよりも薄く設定されている。
【００６７】
さらに、側壁部１０６の矢印Ｅ２方向の先端部における薄肉部１２８の下方には、矢印Ｅ２方向に沿って爪部１３０（係合部、爪部材）が延出している。この場合、薄肉部１２８は、爪部１３０よりも矢印Ｅ２方向に延在している。そして、筐体５０が矢印Ｅ１方向に沿って筒状本体部１００に挿入された場合、爪部１３０は、光源収容部５４の矢印Ｄ１方向の角部８２に係合して、光源収容部５４を矢印Ｅ１方向に押さえる。
【００６８】
また、爪部１３０の側壁部１０６寄りの箇所には、光源収容部５４の角部８２に該爪部１３０が係合した際に、光源収容部５４の側面８８における角部８２寄りの箇所を矢印Ｄ２方向に押さえる凸状の押さえ部１３２（側面押さえ部）が形成されている。
【００６９】
前述のように、爪部８６、９０は、矢印Ｆ方向に沿って略同じ高さに設定されているため、嵌合溝１１８、１２６は、略同じ高さに設定されると共に、薄肉部１２０、１２８も、略同じ高さに設定される。また、爪部１２２、１３０も略同じ高さに設定されている。
【００７０】
図９に示すように、２つの側壁部１０４、１０６の間隔ａは、光源収容部５４と略同じ幅である。従って、爪部８６、９０が嵌合溝１１８、１２６にそれぞれ嵌合した場合、光源収容部５４の側面８４、８８は、図１０に示すように、側壁部１０４、１０６にそれぞれ面接触する。また、薄肉部１２０、１２８の間隔ｂは、２つの側壁部１０４、１０６の間隔ａよりも広く設定されている（ａ＜ｂ）。すなわち、開口部１１０の矢印Ｅ２方向の箇所は、幅広形状とされている。
【００７１】
２つの側壁部１０４、１０６を連結する底壁部１０８において、矢印Ｄ方向に沿った中心部は、矢印Ｅ２方向に延出する延出部１３３として形成される。
【００７２】
そして、底壁部１０８の中心部から延出部１３３にかけて、矢印Ｅ方向に筐体支持部１３４が形成されている。筐体支持部１３４における矢印Ｅ方向に沿った中間部分には、筐体５０の段差部７８に応じた形状の段差部１３６が形成されている。また、筐体支持部１３４の矢印Ｅ２方向の先端部分は、矢印Ｅ２方向及び矢印Ｆ２方向に傾斜するガイド面１３８として形成される。
【００７３】
そのため、筐体５０を矢印Ｅ１方向に沿って筒状本体部１００に挿入する場合、筐体５０の段差部７８は、ガイド面１３８に沿って筐体支持部１３４に案内され、段差部７８が段差部１３６に突き当たると、筐体５０（の段差部７８）は、筐体支持部１３４（の段差部１３６）に支持される。
【００７４】
［本実施形態の作用］
本実施形態に係る照明装置１０の取付構造１２は、以上の通りである。次に、照明装置１０を取付構造１２に取り付ける際の取付手順と、取り付け後の照明装置１０から飲料容器３０への照明光４０の照射とについて説明する。
【００７５】
先ず、図８及び図１３に示すように、レンズ３８を矢印Ｆ１方向に向けた状態で、光源収容部５４を矢印Ｅ１方向側とし、且つ、コネクタ嵌合部５８を矢印Ｅ２方向側に向ける。本実施形態では、図１３に示すように、取付構造１２の矢印Ｅ２方向側に対して照明装置１０が角度θの範囲内であれば、取付構造１２に対してどの角度θからでも、筐体５０を筒状本体部１００に挿入することができる。従って、本実施形態では、取付構造１２に対して照明装置１０を取り付ける際、少なくとも、レンズ３８が矢印Ｆ１方向に向き、光源収容部５４が筒状本体部１００に向き、且つ、コネクタ嵌合部５８が筒状本体部１００から離間するように、取付構造１２に対して照明装置１０が位置していればよい。
【００７６】
次に、図８及び図１３に示す状態から、照明装置１０を筒状本体部１００に向けて矢印Ｅ１方向に移動させる。この場合、開口部１１０の矢印Ｅ２方向側が幅広形状であり、ａ＜ｂの関係にある。そのため、薄肉部１２０、１２８をガイドとして、光源収容部５４を側壁部１０４、１０６の間の空間に容易に挿入することができる。
【００７７】
また、開口部１１０は、筒状本体部１００の矢印Ｅ２方向側から凹部１１２の箇所にかけて連続して開口した形状である。そのため、レンズ３８を矢印Ｆ１方向に向けた状態で照明装置１０を矢印Ｅ１方向に移動させても、該レンズ３８が取付構造１２の構成要素と接触することがない。
【００７８】
光源収容部５４が側壁部１０４、１０６の間の空間に案内されると、光源収容部５４の側面８４、８８が側壁部１０４、１０６にそれぞれ面接触すると共に、爪部８６、９０が嵌合溝１１８、１２６にそれぞれ嵌合する。一方、段差部７８を構成するコネクタ嵌合部５８の底面７６も、ガイド面１３８に接触する。
【００７９】
この場合、底面７６がガイド面１３８に接触した状態で、光源収容部５４と一体にコネクタ嵌合部５８が矢印Ｅ１方向に移動すると、ガイド面１３８に沿ってコネクタ嵌合部５８を段差部１３６にスムーズに案内することができる。すなわち、底面７６は、傾斜したガイド面１３８により、矢印Ｅ方向に沿って平行な段差部１３６に案内され、この結果、照明装置１０は、全体的に、筒状本体部１００に対して略平行に矢印Ｅ１方向に進行することが可能となる。
【００８０】
そして、照明装置１０を矢印Ｅ１方向にさらに移動させると、側壁部１０４、１０６及び嵌合溝１１８、１２６による光源収容部５４の案内作用と、段差部１３６による段差部７８の案内作用とによって、照明装置１０が矢印Ｅ１方向に向かい、筒状本体部１００内にさらに挿入される。
【００８１】
すなわち、側面８４、８８が側壁部１０４、１０６とそれぞれ面接触し、且つ、爪部８６、９０が嵌合溝１１８、１２６にそれぞれ嵌合している。また、段差部１３６は、段差部７８に応じた形状であり、光源収容部５４の底面７４と、コネクタ嵌合部５８の底面７６とは、それぞれ、段差部１３６に支持されている。これにより、照明装置１０（の光源収容部５４及びコネクタ嵌合部５８）は、矢印Ｄ方向及び矢印Ｆ方向の位置が規制された状態となる。従って、照明装置１０は、矢印Ｄ方向及び矢印Ｆ方向の位置が規制された状態で、矢印Ｅ１方向へ移動することになる。
【００８２】
そして、角部８０、８２における矢印Ｆ２方向側の部分（段差部７８を構成するコネクタ嵌合部５８の矢印Ｅ１方向の側面に応じた箇所）が爪部１２２、１３０に当接した場合、照明装置１０を矢印Ｅ１方向にさらに移動させると、爪部１２２は、角部８０からの押圧力によって、側壁部１０４の先端部分を支点として、矢印Ｄ２方向に一体的に反る。また、爪部１３０も、角部８２からの押圧力によって、側壁部１０６の先端部分を支点として、矢印Ｄ１方向に一体的に反る。
【００８３】
この状態で照明装置１０を矢印Ｅ１方向にさらに移動させると、角部８０、８２が爪部１２２、１３０を通過し、光源収容部５４の側面１１６が押さえ部１１４に当接すると共に、段差部７８が段差部１３６に突き当たる。これにより、爪部１２２、１３０は、角部８０、８２からの押圧状態から解放され、押圧前の元の状態に戻る。
【００８４】
この結果、爪部１２２、１３０は、角部８０、８２に係合し、光源収容部５４を矢印Ｅ１方向に押さえる。また、爪部１２２の側壁部１０４寄りに形成された押さえ部１２４は、側面８４の角部８０寄りの箇所を矢印Ｄ１方向に押さえる。さらに、爪部１３０の側壁部１０６寄りに形成された押さえ部１３２は、側面８８の角部８２寄りの箇所を矢印Ｄ２方向に押さえる。さらにまた、押さえ部１１４は、光源収容部５４の側面１１６を矢印Ｅ２方向に押さえる。しかも、段差部７８が段差部１３６に突き当たることにより、筐体５０は、筐体支持部１３４に固定支持される。
【００８５】
従って、光源収容部５４は、押さえ部１１４、１２４、１３２、爪部１２２、１３０及び段差部１３６によって、矢印Ｄ方向及び矢印Ｅ方向の位置が規制されることになる。
【００８６】
しかも、前述のように、側面８４、８８及び側壁部１０４、１０６の面接触と、爪部８６、９０及び嵌合溝１１８、１２６の嵌合とによって、光源収容部５４及びコネクタ嵌合部５８は、矢印Ｄ方向及び矢印Ｆ方向の位置が規制されている。そのため、照明装置１０は、図１〜図５及び図９〜図１１に示す取付構造１２の所定位置に取り付けられ、固定支持される。
【００８７】
この場合、凹部１１２の手前の箇所にレンズ３８が位置決めされ、且つ、外部に露出されている。これにより、レンズ３８が取付構造１２の構成要素と接触することを回避しつつ、レンズ３８を介して照明光４０を外部に出力することが可能な状態となる。
【００８８】
このように取付構造１２に照明装置１０が取り付けられた状態で、図示しない車両のバッテリからコネクタ５６を介して光源部５２に電力供給を行うと、該光源部５２が駆動され、照明光４０が発光される。発光された照明光４０は、レンズ３８で集光され、外部に発散される。この結果、レンズ３８からの照明光４０は、孔部３６を介して飲料容器３０に照射される。
【００８９】
飲料容器３０内の飲料物４２に照明光４０が照射されると、該照明光４０は、反射光として飲料容器３０から車室内に反射され、この結果、車室内の乗員は、前記反射光を視認することで、飲料容器３０内に飲料物４２が存在することを認識することができる。
【００９０】
［本実施形態の変形例］
本実施形態は、上記の説明に限定されることはなく、種々の変更が可能であることは勿論である。
【００９１】
例えば、図１４に示すように、ドリンクホルダ３２の底壁１５０に孔部１５２を設け、アッパー部１６の下端部２０における孔部１５２直下の箇所に取付構造１２を設けてもよい。この場合、レンズ３８が孔部１５２と対向するように取付構造１２を設け、該取付構造１２に照明装置１０を取付固定すればよい。
【００９２】
この場合、取り付け後の照明装置１０からレンズ３８を介して矢印Ｃ１方向に照明光４０を照射すると、該照明光４０は、孔部１５２を通過して、ドリンクホルダ３２に収容された飲料容器３０の底部に照射される。飲料容器３０内の飲料物４２に照明光４０が照射されると、該照明光４０は、反射光として飲料容器３０から車室内に反射される。車室内の乗員は、前記反射光を視認することで、飲料容器３０内に飲料物４２が存在することを容易に認識することができる。
【００９３】
［取付構造の製造方法］
本実施形態に係る照明装置１０の取付構造１２は、例えば、図１５に示す金型装置１５４を用いて、アッパー部１６と一体的に形成することができる。
【００９４】
この金型装置１５４は、断面凸状のコア１５６と、断面凹状のキャビティ１５８とから構成される。この場合、コア１５６とキャビティ１５８とを合わせた状態で、コア１５６とキャビティ１５８との隙間にアッパー部１６となるプラスチック材料１６０を流し込むことにより、アッパー部１６と取付構造１２とを一体的に形成することができる。すなわち、金型装置１５４は、金型スライド成形技術を用いることなく、アッパー部１６及び取付構造１２を一体的に形成することができる。
【００９５】
なお、成形後は、コア１５６とキャビティ１５８とを矢印方向に互いに離間させることにより、取付構造１２を含むアッパー部１６を取り出すことができる。
【００９６】
［本実施形態の効果］
以上説明したように、本実施形態に係る照明装置１０の取付構造１２によれば、取付構造１２の筐体支持部１３４は、筐体５０の段差部７８の形状に合わせた段差部１３６を備えている。そのため、取付構造１２に照明装置１０が挿入された場合、段差部１３６は、筐体５０の段差部７８に対する受け部として機能する。すなわち、段差部１３６が段差部７８に応じた形状であるため、筐体５０を取付構造１２に挿入して、段差部７８が段差部１３６に突き当たると、該段差部１３６は、段差部７８に対する台座として機能する。これにより、筐体５０の段差部７８を段差部１３６で容易に支持することが可能となり、照明装置１０を安定に支持することができる。
【００９７】
また、本実施形態では、少なくとも、光源部５２が収容された光源収容部５４が段差部１３６で支持されているので、光源部５２及び光源収容部５４を安定に支持することができる。
【００９８】
さらに、筐体５０の段差部７８における矢印Ｄ方向に沿った中央部分を段差部１３６で支持することにより、照明装置１０を一層安定に支持することができる。
【００９９】
さらにまた、筐体支持部１３４の先端部分を傾斜したガイド面１３８として形成することにより、取付構造１２に照明装置１０を挿入する際、取付経路（取付軌跡）上にガイド面１３８が存在することになる。これにより、取付直前の取付構造１２に対する照明装置１０の位置を図１３に示す角度θの範囲に拡大することができる。この結果、取付構造１２に対する照明装置１０の取付軌跡の設定自由度が高まり、取付構造１２に対する照明装置１０の挿入性（取付性）を向上させることができる。
【０１００】
また、取付構造１２に照明装置１０を挿入した際、段差部１３６が筐体５０の段差部７８を支持し、光源収容部５４に設けた爪部８６、９０が嵌合溝１１８、１２６に嵌合し、側壁部１０４、１０６が光源収容部５４の側面８４、８８に面接触する。これにより、照明装置１０の挿入方向である矢印Ｅ１方向に直交する平面（矢印Ｄ方向及び矢印Ｆ方向に沿った平面）において、筐体支持部１３４、側壁部１０４、１０６及び嵌合溝１１８、１２６は、照明装置１０の位置を規制することができる。この結果、照明装置１０を一層安定に支持することができる。
【０１０１】
なお、爪部１２２、１３０と嵌合溝１１８、１２６と薄肉部１２０、１２８とが矢印Ｅ方向に沿って略平行に形成され、しかも、爪部１２２、１３０の上方に嵌合溝１１８、１２６及び薄肉部１２０、１２８が設けられているので、取付構造１２全体を小型化することが可能となる。この結果、取付構造１２に取り付けられる照明装置１０の小型化を図ることもできる。
【０１０２】
さらに、筐体支持部１３４と側壁部１０４、１０６とが底壁部１０８を介して連結されているため、取付構造１２の剛性を高めることができる。
【０１０３】
また、本実施形態に係る照明装置１０の取付構造１２によれば、筐体５０のレンズ３８と対向する筒状本体部１００の上壁部１０２には、照明装置１０が筒状本体部１００に挿入されたときに、レンズ３８を外部に露出させる開口部１１０が形成されている。そのため、照明装置１０を取付構造１２に取り付けた場合、レンズ３８の周辺には、取付構造１２の構成要素が配置されることがない。これにより、照明装置１０を安定に支持しつつ、光源部５２及びレンズ３８の光軸を自由に設定することが可能となる。
【０１０４】
また、レンズ３８及び光源部５２から離れた光源収容部５４の角部８０、８２で爪部１２２、１３０により光源収容部５４を固定支持する。これにより、レンズ３８の周辺に取付構造１２の構成要素を配置することなく、光源収容部５４を安定に支持することができる。
【０１０５】
さらに、２つの薄肉部１２０、１２８の間隔ｂを２つの側壁部１０４、１０６の間隔ａよりも広く設定している（ａ＜ｂ）。これにより、光源収容部５４を筒状本体部１００に挿入する際、筒状本体部１００に対して任意の方向（図１３の角度θの範囲内）から光源収容部５４を挿入することが可能となる。この結果、取付構造１２に対する照明装置１０の挿入性が向上し、取付構造１２に対する照明装置１０の組み付け性（取付性）を向上させることができる。
【０１０６】
また、２つの側壁部１０４、１０６の先端部分から光源収容部５４の２つの側面８４、８８に沿って２つの爪部１２２、１３０が延在し、光源収容部５４の角部８０、８２に係合する。これにより、光源収容部５４は、２つの爪部１２２、１３０で挟み込まれると共に、取付構造１２に対する照明装置１０の挿入方向（矢印Ｅ１方向）に沿って押し付けられる。この結果、光源収容部５４を一層安定に支持することができる。
【０１０７】
さらに、２つの爪部１２２、１３０を光源収容部５４の角部８０、８２に係合させることにより、光源収容部５４を含めた照明装置１０が固定支持される。これにより、取付構造１２の形状に応じて照明装置１０の形状を変更することが不要となり、該照明装置１０の大型化を回避することが可能となる。
【０１０８】
すなわち、レンズ３８から離間して設けられた２つの爪部１２２、１３０が光源収容部５４の角部８０、８２に係合することにより、照明装置１０が固定支持されるので、取付構造１２の形状に応じて照明装置１０のサイズを変更できない場合（例えば、レンズ３８の大きさを変えることができないことに起因して、光源収容部５４又は照明装置１０のサイズを変更することができない場合）でも、当該照明装置１０を固定支持することが可能となる。また、爪部１２２、１３０が光源収容部５４の角部８０、８２に係合するため、照明装置１０の形状に応じて筐体支持部１３４のサイズを変更することが不要となり、取付構造１２の大型化も回避することができる。
【０１０９】
また、２つの薄肉部１２０、１２８が２つの爪部１２２、１３０よりも照明装置１０側に突出し、幅広の２つの薄肉部１２０、１２８の箇所に２つの爪部１２２、１３０が設けられていない。そのため、筒状本体部１００に対して光源収容部５４を挿入しやすくなる。また、光源収容部５４の角部８０、８２が２つの爪部１２２、１３０の位置にまで移動すると、２つの爪部１２２、１３０が光源収容部５４の角部８０、８２に係合するので、光源収容部５４を確実に支持することが可能となる。
【０１１０】
凸状の２つの押さえ部１２４、１３２は、２つの爪部１２２、１３０における２つの側壁部１０４、１０６寄りの箇所で、光源収容部５４の２つの側面８４、８８を押さえる。しかも、押さえ部１２４、１３２は、光源収容部５４と爪部１２２、１３０とのクリアランスを埋めるように形成される。これにより、２つの押さえ部１２４、１３２は、２つの爪部１２２、１３０と協働して、光源収容部５４を押さえることになるので、取付構造１２に対する照明装置１０のガタツキを防止しつつ、光源収容部５４をより安定且つ確実に支持することができる。また、爪部１２２、１３０に押さえ部１２４、１３２を設けることにより、該爪部１２２、１３０の剛性も向上させることができる。
【０１１１】
また、爪部８６、９０がテーパ状に形成されると共に、嵌合溝１１８、１２６も断面テーパ状に形成されている。これにより、照明装置１０の挿入方向（矢印Ｅ１方向）に直交する平面（矢印Ｄ方向及び矢印Ｆ方向に沿った平面）において、照明装置１０の位置を容易に規制することが可能となり、当該照明装置１０を確実且つ安定に支持することができる。
【０１１２】
さらに、底壁部１０８の一部である延出部１３３をコネクタ嵌合部５８まで延在させることにより、取付構造１２に対する照明装置１０の組み付け性をさらに向上させると共に、照明装置１０を一層安定に支持することができる。
【０１１３】
また、筒状本体部１００に対する照明装置１０の挿入方向（矢印Ｅ１方向）に沿って開口部１１０を連続して開口させることにより、レンズ３８を傷つけることなく、筒状本体部１００に対して光源収容部５４を挿入することができる。
【０１１４】
さらに、押さえ部１１４は、筒状本体部１００に挿入された光源収容部５４の側面１１６を押さえるストッパとして機能する。これにより、照明装置１０の挿入方向に沿った所望の位置（取付構造１２の構成要素にレンズ３８が接触しない位置）で当該照明装置１０を確実に支持することが可能となる。
【０１１５】
また、本実施形態では、タッピンネジ、ビス等のネジ部材や、ブラケットのような別部品を用いることなく、且つ、金型スライド成形技術を用いることなく、照明装置１０の形状に応じた取付構造１２とアッパー部１６とを一体的に形成することが可能となる。この結果、照明装置１０の大型化を回避することができる。
【０１１６】
さらに、アッパー部１６に設けられた取付構造１２に照明装置１０を固定することにより、照明装置１０からアッパー部１６に設けられたドリンクホルダ３２に収容される飲料容器３０に向けて照明光４０を確実に照射することができる。
【０１１７】
なお、本発明は、上述の実施形態に限らず、本発明の要旨を逸脱することなく、種々の構成を採り得ることは勿論である。
【符号の説明】
【０１１８】
１０…照明装置                      １２…取付構造
１４…ドアライニング                １６…アッパー部
２０…下端部                        ３０…飲料容器
３２…ドリンクホルダ                ３４…側壁
３６、１５２…孔部                  ３８…レンズ
４０…照明光                        ４２…飲料物
５０…筐体                          ５２…光源部
５４…光源収容部                    ５８…コネクタ嵌合部
６０、６８、７０…上面              ７２、７４、７６…底面
７８、１３６…段差部                ８０、８２…角部
８４、８８、１１６…側面            ８６、９０、１２２、１３０…爪部
１００…筒状本体部                  １０２…上壁部
１０４、１０６…側壁部              １０８…底壁部
１１０…開口部                      １１２…凹部
１１４、１２４、１３２…押さえ部    １１８、１２６…嵌合溝
１２０、１２８…薄肉部              １３３…延出部
１３４…筐体支持部                  １３８…ガイド面
１５０…底壁                        １５４…金型装置
１５６…コア                        １５８…キャビティ
１６０…プラスチック材料
【図１】
2015002026.tif 000003
【図２】
2015002026.tif 000004
【図３】
2015002026.tif 000005
【図４】
2015002026.tif 000006
【図５】
2015002026.tif 000007
【図６】
2015002026.tif 000008
【図７】
2015002026.tif 000009
【図８】
2015002026.tif 000010
【図９】
2015002026.tif 000011
【図１０】
2015002026.tif 000012
【図１１】
2015002026.tif 000013
【図１２】
2015002026.tif 000014
【図１３】
2015002026.tif 000015
【図１４】
2015002026.tif 000016
【図１５】
2015002026.tif 000017